【手続補正書】
【提出日】平成17年9月9日(2005.9.9)
【手続補正１】
【補正対象書類名】明細書
【補正対象項目名】全文
【補正方法】変更
【補正の内容】
【書類名】      明細書【発明の名称】  三つ折り葉書
【特許請求の範囲】
【請求項１】  折り線を介して連接された３葉片を各折り線で折り畳み、この折り畳みにより生じた対向面を、疑似接着媒体を介して剥離可能に疑似接着してなる三つ折り葉書において、前記折り畳み後に葉書本体として葉書中央に配置される葉片が該葉片の上面に添付物として積層される他の葉片から一部表出されると共に、そのように形成された葉書中央の葉片の表出面に、該葉書中央の葉片が葉書本体であることを明示するための「郵便はがき」又はそれに相当する表示と、受取人に開封動作を喚起する表示とが共に施されていることを特徴とする三つ折り葉書。
【請求項２】  ３葉片がＺ折りに折り畳まれた請求項１に記載の三つ折り葉書。
【請求項３】  ３葉片が巻き折りに折り畳まれた請求項１に記載の三つ折り葉書。
【請求項４】  葉書中央の葉片の表出面が、該葉片の上面に積層された他の葉片表面のデザインと異なる独立したデザインを有する請求項１に記載の三つ折り葉書。
【発明の詳細な説明】
【０００１】
【産業上の利用分野】
本発明は、多量な情報を通常の葉書料金で郵送可能にした葉書に関する。詳しくは、本発明は、見掛けは通常の葉書であるにもかかわらず、多層に折り畳まれたシートの葉片が剥離可能に積層されているため、多量な情報を隠蔽状態で伝達することができる三つ折り葉書に関する。
【０００２】
【従来の技術】
最近、情報が記載された複数の葉片を折り畳んで剥離可能に一体化し、多量の情報を郵送可能にした情報通信体が葉書等の郵便物として利用されている。このような情報通信体の中で、例えば実開平７−２６１６０号の「三つ折りシークレットはがき」が、通常より多量な情報を通常の葉書料金で郵送することが可能な葉書として提案されている。
【０００３】
【発明が解決しようとする課題】
前記従来技術に係る三つ折り葉書においては、折り線を介して連接された３葉片を中央の葉片の一部が表出するようにＺ折りに折り畳むと共にそれによって該葉書中央の葉片に表出面を形成し、該表出面に「郵便はがき」又はそれに相当する文字を表示することにより、前記葉書中央の葉片が葉書本体とみなされると共に該中央の葉片に連接した２葉片は葉書本体の表裏面の添付物とみなされ、それにより前記三つ折り葉書は郵政法上の郵便葉書として郵送可能になるのである。
しかし前記従来技術によれば、隠蔽情報をできる限り多く表示するために、前記葉書中央の葉片の表出面には、「郵便はがき」又はそれに相当する表示を施すことしか考えられていない。そのため、葉書中央の葉片の特に長辺に沿って帯状に段差が形成されると共に該段差部の表出面に前記「郵便はがき」等の表示がなされている場合に、開封部分が葉書周囲より中に入り込んでしまうので、受取人が、受け取った葉書をその開封部分に全く気付かずに開封しないまま廃棄してしまう事故が多く発生しており、そのような場合は、結局、ＤＭ等の葉書の最大目的である受取人への情報伝達を全く達成することができず、情報伝達のための葉書としての意味がなくなってしまうのである。
本発明はかかる問題に鑑み、受取人が確実に開封することを可能にすると共にそれによって受取人への情報伝達が完全になされるようにした三つ折り葉書を提供するものである。
【０００４】
【課題を解決するための手段】
上記課題を達成するために、本発明に係る三つ折り葉書は、折り線を介して連接された３葉片を各折り線で折り畳み、この折り畳みにより生じた対向面を、疑似接着媒体を介して剥離可能に疑似接着してなる三つ折り葉書において、前記折り畳み後に葉書本体として葉書中央に配置される葉片が該葉片の上面に添付物として積層される他の葉片から一部表出されると共に、そのように形成された葉書中央の葉片の表出面に、該葉書中央の葉片が葉書本体であることを明示するための「郵便はがき」又はそれに相当する表示と、受取人に開封動作を喚起する表示とが共に施されていることを特徴としている。
【０００５】
本発明に係る三つ折り葉書は、３葉片が前記従来技術におけるＺ折りの形態に折り畳まれる場合に限らず、巻き折りの形態に折り畳まれる場合にも適用可能である。いずれの場合も、折り畳み後に表出する、葉書中央の葉書本体に相当する葉片の表出面に、「郵便はがき」又はそれに相当する表示と、受取人に開封動作を喚起する表示とが施されている。受取人に開封動作を喚起する表示としては、例えば「ここから開いて下さい」、「ここからはがしてください」等のように、直接、受取人に開封動作を指示する文言の他に、「中面をご覧下さい。このチャンスをお見逃しなく！」等のように、中面の記載に受取人が興味を引くような文言であってもよく、さらにそれらの文言にキャラクターやイラストが付加されていても差し支えない。
【０００６】
また、前記葉書中央の葉片の表出面が、該葉片の上面に添付物として積層された他の葉片表面のデザインと異なる独立したデザインを有するように構成し、両表面のデザインを明確に違えることにより、更に受取人に開封動作を喚起することができる。
例えば、前記葉書中央の葉片の表出面部分を添付された他の葉片表面の色調と明確に異なる単色に統一し、その上に、受取人に開封動作を喚起する表示を施せばより効果的である。勿論、両表面のデザインを、前記のような色調により区別するのみならず、模様等により明確に区別できるようにしてもよい。
【０００７】
本発明に係る三つ折り葉書に用いる疑似接着媒体に格別な制限はない。例えば、前記疑似接着媒体として、剥離可能に接着（以下、疑似接着という。）した２枚のフィルムの両外側に接着剤層を形成したもの、用紙に印刷を施した後に該用紙の疑似接着予定面に疑似接着性の樹脂を各種コーター方式等で塗布して疑似接着樹脂被膜を形成したもの、また用紙に印刷を施す前の段階で該用紙表面に疑似接着性樹脂を塗布しておくもの等を好適に使用することができる。
【０００８】
前記第一の疑似接着媒体として、剥離可能に接着した２枚のフィルムの両外側に接着剤層を形成したものは４層構成になるが、必ずしもその構成にこだわることはなく、３層や５層或いはそれ以上の層構成であっても差し支えない。また、前記２枚のフィルムにおける疑似接着部分の形成方法としても、公知の各種コーター方式、溶融押し出し法及び各種ラミネート方式から選択すればよい。さらに、前記接着剤層の種類にも限定はなく、公知の粘着剤や感熱接着剤、強圧により接着性を発揮する感圧性接着剤及び感湿性接着剤等を好適に使用することができる。
【０００９】
また、前記第二の疑似接着媒体として、用紙に印刷を施した後に該用紙の疑似接着予定面に疑似接着性の樹脂を各種コーター方式等で塗布して疑似接着樹脂被膜を形成したものは、業界で「後糊方式」や「ニス引き方式」と呼ばれ、この疑似接着媒体にはＯＰワニス系、紫外線硬化系、溶剤蒸発乾燥系の疑似接着性の樹脂が好適に使用できる。しかし、前記疑似接着性の樹脂として、従来から公知である弱粘着性の粘着剤を使用しても差し支えない。
なお、前記疑似接着性の樹脂の疑似接着手段としては、加熱・加圧処理を施すものと加圧処理のみを施すものがあるが、前記樹脂の種類や物性に応じて適宜の手段が選択される。
【００１０】
さらに、前記第三の疑似接着媒体として、用紙に印刷を施す前の段階で該用紙表面に疑似接着性樹脂を塗布しておくものには、業界で「圧着紙」と呼ばれる天然ゴムや合成ゴムを主体に各種添加剤や樹脂を添加したものを好適に使用できる。前記のような疑似接着性樹脂の場合は、通常は接着性がないが高圧の加圧処理を施すことにより疑似接着が実行でき、加熱手段を必要としないため装置も簡単ですみ、便利である。
【００１１】
【作用】
本発明に係る三つ折り葉書の受取人は、葉書中央の葉片の表出面に「郵便はがき」又はそれに相当する表示と共に施されている開封動作を喚起する各種表示を容易に認識し、それにより前記三つ折り葉書を開封忘れなく確実に開封して内容を視認することができる。
【００１２】
【実施例】
図１（Ａ）及び（Ｂ）は、葉書中央の葉片の側端に沿って帯状の表出面が形成される三つ折り葉書を構成する葉書用紙の各々表面図及び裏面図である。図２（Ａ）は、図１に示す葉書用紙をＺ折りに折り畳んで形成した三つ折り葉書の平面図、同図（Ｂ）は同図（Ａ）の中央横断面図、同図（Ｃ）は図１に示す葉書用紙を巻き折りに折り畳んで形成した三つ折り葉書における、同図（Ｂ）と同様の中央横断面図である。図３は、葉書中央の葉片の表出面が図１に示す場合よりも広めの帯状に表出する三つ折り葉書の平面図である。
以下、図面に沿って、本発明に係る三つ折り葉書を詳細に説明する。
【００１３】
図１（Ａ）及び（Ｂ）において、葉書用紙Ｓは、第１葉片１とそれより横幅の広い第２葉片２及び第３葉片３とが折り線４、５を介して連接されたものである。第１葉片１表面には、同図（Ａ）に示すように郵便切手欄と郵便番号枠等と共に宛先人の住所氏名６が記載されている。また、第２葉片２裏面の左縁辺には、図（Ｂ）に示すように帯状のデザインの中に「ＰＯＳＴ  ＣＡＲＤ」と「ここからめくる」の各表示が、めくる部分を示唆する矢印のデザインと共に記載されている。
【００１４】
前記の葉書用紙Ｓでは、図２（Ａ）、（Ｂ）に示すように、葉書中央に配置された第２葉片２が葉書本体になり、第１葉片１と第３葉片３が第２葉片２の上面と下面に各々添付されて、Ｚ折りの形態の三つ折り葉書Ｊとなっている。そして、第２葉片２裏面に表出した帯状部分に記載された前記表示が、該第２葉片２より横幅が短い第１葉片１に覆われることなく、左端に帯状に出現している。
この三つ折り葉書Ｊでは、第２葉片２裏面に表出した帯状部分に施された文字組の流れと第１葉片１表面に施されたデザイン等による文字組の流れが大きく異なるため、この三つ折り葉書Ｊの受取人には、前記帯状部分における「ここから開く」の表示がさらに効果的に目立ち、非常に見やすいためすぐに目が引かれる。
そして、受取人は、前記「ここから開く」の表示から、前記三つ折り葉書Ｊを開封することにより中面が表出することを即座に理解することができるため、該三つ折り葉書Ｊを確実に開封して中面に記載されている内容を視認、確認するのである。
なお、図２（Ｃ）に示す三つ折り葉書Ｊでは、葉書用紙Ｓの第１葉片１、第２葉片２及び第３葉片３が該第３葉片３を巻き込むように巻き折りに折り畳まれているが、この三つ折り葉書Ｊの場合も、受取人は前記と同様に確実に開封することがことができる。
【００１５】
なお、本発明は上記実施例に限定されるものではない。
例えば、図３に示す三つ折り葉書Ｊのように、葉書中央の第２葉片２裏面に表出する二重の帯に「ＰＯＳＴ  ＣＡＲＤ」と「この中にもすてきなご案内があります。開いて下さい。」の各表示を記載し、さらにデザイン的に独立させることにより、該三つ折り葉書Ｊの受取人に開封動作を確実に喚起させることもできる。このような独立したデザインとして、例えば帯の数をさらに増やしたりする等、多々考えられるが、表出する第２葉片２裏面に施すデザインを第１葉片１表面のデザインと明確に異なる独立したデザインにすることにより、前記効果はさらに倍増する。
また、前記実施例では、三つ折り葉書Ｊの開封口の場所を示唆するマークとして三角の矢印を用いているが、このマークに関しても格別の制限はなく、従来から知られた「手」のマークやキャラクター等と関連づけてイラストを記載してもよい。
【００１６】
【発明の効果】
以上のように、本発明に係る三つ折り葉書によれば、開封部分が葉書面の内方にある場合でも受取人は確実に内部に記載がなされていることを認識することが可能であり、それにより受取人は確実に開封して中面の記載を視認することになるため、情報伝達のための葉書としての役目は完全に達成される。
【図面の簡単な説明】
【図１】
図１（Ａ）及び（Ｂ）は、葉書中央の葉片の側端に沿って帯状の表出面が形成される三つ折り葉書を構成する葉書用紙の各々表面図及び裏面図である。
【図２】
図２（Ａ）は、図１に示す葉書用紙をＺ折りに折り畳んで形成した三つ折り葉書の平面図、同図（Ｂ）は同図（Ａ）の中央横断面図、同図（Ｃ）は図１に示す葉書用紙を巻き折りに折り畳んで形成した三つ折り葉書における、同図（Ｂ）と同様の中央横断面図である。
【図３】
図３は、葉書中央の葉片の表出面が図１に示す場合よりも広めの帯状に表出する三つ折り葉書の平面図である。
【符号の説明】
Ｓ  葉書用紙
Ｊ  三つ折り葉書
Ｇ  疑似接着媒体
１、２，３  葉片
４、５  折り線
６  受取人住所